(57)【要約】      （修正有）【課題】タオル本体上で液状石鹸等の泡立ちを良くしながら、身体の洗浄機能を高める洗浄用タオルを提供する。【解決手段】タオル本体１１と、タオル本体１１に挿通した紐体１２と、を備え、タオル本体１１の他側縁Ｂ側で紐体１２の一部を固定し、タオル本体１１の一側縁側の紐体１２は自由端とし、タオル本体１１は、紐体１２に沿って一側縁Ａを他側縁Ｂ側にスライドさせることにより布地１５を集めて収縮可能に構成した洗浄用タオル１０である。このように構成することで、洗浄用タオル１０は、石鹸を塗布するときにはタオル本体を収縮した状態とし、身体を洗浄するときはタオル本体１１を広げた状態に容易に変更できるものである。【選択図】図２
0003190702.tif 000002
【実用新案登録請求の範囲】
【請求項１】
タオル本体と、
タオル本体に挿通した紐体と、を備え、
タオル本体の他側縁側で紐体の一部を固定し、タオル本体の一側縁側の紐体は自由状態で挿通し、
タオル本体は、紐体を通して一側縁を他側縁側にスライドさせることにより布地を集めて収縮可能に構成したことを特徴とする洗浄用タオル。
【請求項２】
上記紐体は、環状にしてタオル本体に挿通させたことを特徴とする請求項１に記載の洗浄用タオル。
【請求項３】
上記紐体は、タオル本体と同じ素材で構成したことを特徴とする請求項１又は請求項２に記載の洗浄用タオル。
【請求項４】
タオル本体は、ナイロン製樹脂であることを特徴とする請求項１〜請求項３のいずれか１項に記載の洗浄用タオル。
【考案の詳細な説明】
【技術分野】
【０００１】
本考案は、洗浄用タオル、詳しくは、ボディーソープや石けんを付着させた際に良好な起泡性を呈し、身体表面において高い洗浄効果を生起できる身体洗浄用のタオル等に関する。
【背景技術】
【０００２】
一般に、液状石鹸（ボディソープ）や固形石鹸を塗布して身体を洗浄する洗浄タオルとして、所謂フェイスタオルと略同等の大きさとした幅25〜36cm、長さ75〜90cm程度の矩形状のものが存在する。以下、このようなフェイスタオルと略同等の形状やサイズをフェイスタオルサイズとも称する。ただし、素材はパイル生地に限定するものではない。
【０００３】
例えば、特許文献１（特開２０１２−０７０９５４号公報）には、フェイスタオルサイズのタオル本体を有する洗浄用タオルであって、液状石鹸等を塗布して泡立て、泡立てた液状石鹸等によりタオル本体で身体を洗浄可能に構成した洗浄用タオルが開示されている。
【０００４】
上記特許文献１に記載の洗浄用タオルでは、身体を洗浄するのに泡立てる必要があり、しかも、液状石鹸等をタオル全体に行き渡せることが必要である。
【考案の概要】
【考案が解決しようとする課題】
【０００５】
ところが、フェイスタオルサイズのタオル本体を広げた状態では、液状石鹸等を塗布しても、速やかに液状石鹸等をタオル全体に行き渡せることは困難であった。
このため、タオル本体を二つ折りした後、さらに三つ折りや四つ折りにした状態にすることが必要であるが、この作業を一瞬で行うことができなかった。
【０００６】
また、液状石鹸等をポンプディスペンサー等からタオル本体上に流下させると、タオル本体の表面に沿って滴り落ちたり、タオル本体内をすり抜けて滴り落ちてしまい液状石鹸等の無駄が生じていた。特に、粘性の少ない液状石鹸等を使用すると、この液状石鹸の逸失現象はより顕著に現れる。
【０００７】
この考案は、上記課題を解決するためになされたもので、前述の逸失現象を可及的抑制しながらも、タオル本体上で液状石鹸等の起泡性を良好としつつ、身体表面における洗浄性を高めることのできる洗浄用タオルを提供することを目的とする。
【課題を解決するための手段】
【０００８】
請求項１に記載の考案は、タオル本体と、タオル本体に挿通した紐体と、を備え、タオル本体の他側縁側で紐体の一部を固定し、タオル本体の一側縁側の紐体は自由状態で挿通し、タオル本体は、紐体を通して一側縁を他側縁側にスライドさせることにより布地を集めて収縮可能に構成したことを特徴とする洗浄用タオルである。
【０００９】
請求項２に記載の考案は、上記紐体は、環状にしてタオル本体に挿通させたことを特徴とする請求項１に記載の洗浄用タオルである。
【００１０】
請求項３に記載の考案は、上記紐体は、タオル本体と同じ素材で構成したことを特徴とする請求項１又は請求項２に記載の洗浄用タオルである。
【００１１】
請求項４に記載の考案は、タオル本体は、ナイロン製樹脂であることを特徴とする請求項１〜請求項３のいずれか１項に記載の洗浄用タオルである。
【考案の効果】
【００１２】
請求項１に記載の考案によれば、タオル本体と、タオル本体に挿通した紐体と、を備え、タオル本体の他側縁側で紐体の一部を固定し、タオル本体の一側縁側の紐体は自由状態で挿通し、タオル本体は、紐体を通して一側縁を他側縁側にスライドさせることにより布地を集めて収縮可能に構成したので、石鹸を塗布するときにはタオル本体を収縮した状態とし、身体を洗浄するときはタオル本体を広げた状態に容易に変更できるものである。
【００１３】
また、タオル本体を一側縁から他側縁にスライドさせることで布地が集められた状態にすることで簡単に石鹸を塗布しやすい状態の形態にすることができ、タオル本体を引き伸ばすことで、身体を洗浄できる状態に変更できる。従って、タオル本体の収縮・伸長が紐体を通して簡単に行える。
【００１４】
すなわち、本考案の洗浄用タオルは、収縮した状態では、布地が集められた状態であるので液状石鹸等を吸液しやすい状態にでき、しかも、液状石鹸等をタオル本体の全体に行き渡せることができ、これを広げることで体全体が洗浄できる効果を有する。
【００１５】
請求項２に記載の考案によれば、上記紐体は、環状にしてタオル本体に挿通させるので、紐体を把持しながらタオル本体を収縮させ、紐体を把持しながらタオル本体を広げやすい効果を有する。また、紐体を環状にすることで、常に、タオル本体に係止させた状態にできる効果を有する。
【００１６】
請求項３に記載の考案によれば、上記紐体は、タオル本体と同じ素材で構成しているので、タオル本体と紐体とを一体で製造することが可能であり、その他の素材を使用しないので製造コストを低減できる効果を有する。
【００１７】
請求項４に記載の考案によれば、タオル本体は、ナイロン製樹脂であるので、そのナイロン製樹脂により身体洗浄機能を有し、滑りやすいナイロン樹脂により、紐体を通してタオル本体の布地を寄せ集めやすい効果を有する。
【図面の簡単な説明】
【００１８】
【図１】洗浄用タオルの全体構造を示した説明図である。
【図２】二つ折りにした洗浄用タオルの状態を示した説明図である。
【図３】布地が集められた洗浄用タオルの収縮状態を示した説明図である。
【考案を実施するための形態】
【００１９】
本考案は、タオル本体と、タオル本体に挿通した紐体と、を備え、タオル本体の他側縁側で紐体の一部を固定し、タオル本体の一側縁側の紐体は自由状態で挿通し、タオル本体は、紐体を通して一側縁を他側縁側にスライドさせることにより布地を集めて収縮可能に構成したことを特徴とする。
【００２０】
すなわち、本考案は、簡単な操作によりタオル本体を収縮させて石鹸を塗布して泡立ちしやすくできると共に、泡立ちを良くしたタオル本体を広げて身体を洗浄することで身体洗浄機能を高めるものである。
【００２１】
（洗浄用タオルの全体構造）
以下、本実施形態における洗浄用タオル１０について図面を参照して説明する。
【００２２】
まず、洗浄用タオル１０の全体構造について図１を参照して説明する。
図１は、本実施形態における洗浄用タオル１０の構造を説明する説明図である。
図２は、二つ折りにした洗浄用タオル１０の状態を示した説明図である。
図３は、布地１５が集められた洗浄用タオルの収縮状態を示した説明図である。
【００２３】
図１に示すように、本実施形態における洗浄用タオル１０は、タオル本体１１とループ状の紐体１２とからなる。
【００２４】
タオル本体１１は、図１に示すように、その形状をフェイスタオルサイズとしたシート状のものが挙げられる。ただし形状はこれに限定されるものではなく、例えば、扇形を有するシート状のものも使用できる。さらには、円筒形状を有するものも採用できる。
【００２５】
タオル本体１１は、その素材は特に限定されないが、各種の天然繊維（例えば、綿、シルク、麻など）を使用することができる。また、天然繊維として、肌に優しい綿、シルク、麻を使用した布帛でも採用することができる。さらには、織布、不織布、網布の何れでもよい。
【００２６】
又は、天然繊維の代わりに各種の合成繊維（ナイロン、アクリル、ポリエチレン、レーヨン）などを採用することができる。特に、天然繊維に比べて使用劣化が少なく生産性が容易で身体洗浄機能も高いナイロン樹脂製のパイル生地や網目生地のものが好ましい。
【００２７】
紐体１２は、一本線状に構成したもの、又はループ状（環状）に構成したものである。
【００２８】
一本線状に構成した紐体１２では、タオル本体１１から離脱しないようにその端部にストッパー等を設けてもよい。
【００２９】
これに対して、ループ状の紐体１２では、図２に示すように、例えばタオル本体１１に波目部分を通して挿通することで、紐体挿通部１４を通してタオル本体１１と紐体１２とを一体化できる。
【００３０】
紐体１２は、図１に示すように、タオル本体１１に対して例えば波目縫い状に挿通される。波目縫いの数や間隔は特に限定されない。なお、波目縫いの場合には、タオル本体１１には紐体１２を挿通させる部分に鳩目を取り付けてもよい。
【００３１】
また、上記波目縫い状に限定されず、タオル本体１１に筒状の紐体挿通部１４を形成し、この紐体挿通部１４に紐体１２を挿通するように構成してもよい。
【００３２】
さらに、紐体１２は、図１に示すように、タオル本体１１の上下２分する中心線上に紐体挿通部１４を設けているが、これに限られず、長手方向の上下端部側に設けることもできる。
【００３３】
紐体１２は、その素材は限定されないが、タオル本体１１を構成する布地１５を寄せ集めることができ、又は布地１５を広げやすいような柔軟性で洗浄時の取り扱いが容易な素材、例えばナイロン樹脂製が好ましい。
【００３４】
紐体１２は、上記タオル本体１１と同じ素材でもよい。紐体１２がタオル本体１１と同じ素材にすることによって、タオル本体１１上の紐体挿通部１４の紐体１２が身体に接触させることになるので、タオル本体１１の素材の感覚で紐体１２を接触させることができる。
また、同じ素材で形成するので別の素材を使用せずに製造コストを低減可能である。
【００３５】
また、紐体１２上でタオル本体が一側縁Ａから他側縁Ｂへスライドさせるのを容易にするため、紐体１２上に滑りをよくする潤滑剤等を塗布してもよい。
【００３６】
紐体１２は、タオル本体１１の他側縁Ｂ側では締結させてその一部を固定し、一側縁Ａではフリー状態でタオル本体１１に挿通させている。
【００３７】
すなわち、図１に示すように、タオル本体１１の他側縁Ｂ側で紐体１２自体を結び付ける（締結部１３とする）ことで固定している。
【００３８】
紐体１２は、上記のように紐体１２の締結ではなく、別途固定具を介してタオル本体１１にその一部を固定することもできる。
【００３９】
このように、タオル本体１１の他側縁Ｂで紐体１２を締結させているので、タオル本体１１から離脱するのを防止でき、下記のようにタオル本体１１の布地１５を集められるように構成することができる。
【００４０】
これに対して、紐体１２は、タオル本体１１の一側縁Ａ側でフリーとしており、タオル本体１１の一側縁Ａを他側縁Ｂ側に紐体１２を通してスライド可能に構成している。
【００４１】
すなわち、図２に示すように、タオル本体１１の一側縁Ａを他側縁Ｂ側に紐体１２を通してスライドさせてタオル本体１１の布地１５を集めるのを可能に構成している。
【００４２】
また、タオル本体１１は、紐体１２が波目縫いされた紐体挿通部１４を折り目として二つ折りの形態にすることができる。
【００４３】
このように、二つ折り形態とすることでで、二つ折りの形態で収縮させた状態にすることができ、この形態で液状石鹸等を効率よく泡立たせることができる。
【００４４】
すなわち、布地１５が集められた状態で液状石鹸等が塗布されるため、液状石鹸等をタオル本体１１の全体に行き渡せることができるのである。
【００４５】
（タオルの使用方法）
次に、本考案の洗浄用タオル１０の使用方法について図１〜図３を参照して説明する。
【００４６】
まず、図１に示すように、広げられたタオル本体１１を紐体１２のタオル本体１１の波目縫い部分を折り目として二つ折りにする。
【００４７】
次いで、図２に示すように、紐体１２に通して、手で添えながらタオル本体１１の一側縁Ａをタオル本体１１の他側縁Ｂ側に向かってスライドさせる。
【００４８】
すると、タオル本体１１の他側縁Ｂでは紐体１２が締結されており、タオル本体１１を一側縁Ａから他側縁Ｂに向かってスライドさせることで、紐体挿通部１４のタオル本体１１の布地１５が集められる。
【００４９】
なお、このとき、図３に示すように、タオル本体１１を一側縁Ａから他側縁Ｂにかけて布地１５が集められたことによるギャザーのような厚みが形成されるようにしてその幅が縮められる。
【００５０】
また、このとき、タオル本体１１の他側縁Ｂではタオル本体１１が紐体１２で締結されているので、タオル本体１１を一側縁Ａから他側縁Ｂにわたる布地１５の存在によって、タオル本体１１を一側縁Ａが締結部１３を超えて他側縁Ｂより外方に移動してしまうことが防止される。
【００５１】
この結果、タオル本体１１を一側縁Ａから他側縁Ｂにかけてタオル本体１１の布地１５が寄せられることとなり、その面積が縮小されることとなる。
【００５２】
このような状態を有するタオル本体１１に液体石鹸や固形石鹸を塗布することにより、液体石鹸等をタオル本体１１に全体に行き渡せることができる。
【００５３】
そして、手揉みすることで、タオル本体１１に全体になお一層行き渡せることによって、泡立ちを良くすることができる。
【００５４】
しかも、収縮した状態では布地１５が集められた状態となっているので、布地１５が集められた布地１５によって液状石鹸等が吸液されやすい状態となる。これにより、液状石鹸等が下に滴り落ちるのを防ぐことができる。
【００５５】
通常、泡立ちを良くするために、液状石鹸等には粘性を高める増粘剤が添加されるが、この増粘剤は発がん性を促進させるため、粘性の少ない液状石鹸等を使用する方が健康上好ましい。
【００５６】
そこで、本考案の洗浄用タオル１０を使用すれば、上記のような泡立ちを容易にする構造を有するので、泡立ちが少ない石鹸等でも十分に身体洗浄機能を果たすことができる。
【００５７】
従って、本考案の洗浄用タオル１０を使用することにより、粘性の少ない液状石鹸等を使用することができる。
【００５８】
そして、本考案の洗浄用タオル１０を使用し、かつ、粘性の少ない液状石鹸等を使用することにより、健康上好ましい石鹸を使用でき、しかも、洗浄後の石鹸を落としやすい効果を生起できる。
【００５９】
なお、タオル本体１１は、上記では長方形のフェイスタオルサイズとしたが、扇形にすることもできる（図示せず）。
【００６０】
紐体１２は、扇形を有するタオル本体１１を上下２分する中心線上に挿通させ、挿通させた中心線を折り目にして二つ折りにすることもできる。
【００６１】
以上、本考案の実施の形態のいくつかを図面に基づいて詳細に説明したが、これらは例示であり、考案の開示の欄に記載の態様を始めとして、当業者の知識に基づいて種々の変形、改良を施した他の形態で本考案を実施することが可能である。
【符号の説明】
【００６２】
１０  洗浄用タオル
１１  タオル本体
１２  紐体
１３  締結部
１４  紐体挿通部
１５  布地
Ａ  一側縁
Ｂ  他側縁
【図１】
0003190702.tif 000003
【図２】
0003190702.tif 000004
【図３】
0003190702.tif 000005